【事件の表示】
　平成　４年特許願第　２８０９５号「脱穀機」拒絶査定不服審判事件〔平成　５年　８月３１日出願公開、特開平　５−２１９８２１〕について、次のとおり審決する。
【結　論】
　本件審判の請求は、成り立たない。
【理　由】
１．手続の経緯・本願発明
　本願は、平成４年２月１４日の出願であって、その請求項１に係る発明（以下、「本願発明」という。）は、審判請求に伴って平成１４年１月７日に提出された手続補正書により補正された明細書及び図面の記載からみて、その特許請求の範囲の請求項１に記載された次のとおりのものである。
「【請求項１】　扱胴２を内装軸架した扱室３と、該扱室３一側の扱ぎ口に沿って設けたフィードチェン８と、該フィードチェン８の上側に対設され前記扱室３上部の扱胴カバー１２と共に上下に開閉可能な挾持レール９とを備え、前記挾持レール９を上方に移動させたとき、前記フィードチェン８をその移送始端部側となる扱室３よりも前側の位置に配置した支軸１１周りに外側方に開放できるように構成したことを特徴とする脱穀機。」
　
２．引用刊行物記載の発明
　これに対して、原査定の拒絶の理由に引用された、本願の出願日前である平成３年１２月１３日に頒布された実願平２−２８７１４号（実開平３−１２２６３０号）のマイクロフィルム（以下、「引用例」という）には、図面と共に次の事項が記載されている。
　
（１−１）「本考案は扱室及び扱胴の保守点検やクリンプ網の交換時などに、フィードチェンをその都度取外す手間の煩わしさなく容易に脱穀側部カバーと一体に開放して、これらの作業を能率良く行うようにしたコンバインの脱穀装置に関する。」（第１ページ第１５〜１９行）　
　
（１−２）「本考案は、脱穀用穀稈を搬送するフィードチェンを脱穀側部カバーと一体に脱穀部側方に開放可能に設ける構造において、２番処理物を搬送する２番還元装置をスクリュコンベア構造に設けて脱穀部のフィードチェンと同一側に配設する一方、前記２番還元装置の投出羽根を覆う外筒部を、前記脱穀側部カバーに一体形成したものである。」（第２ページ第１５行〜第３ページ第２行）
　
（１−３）「而して本考案によれば、フィードチェンを開放状態とさせることによって、２番還元装置の投出羽根の周囲も開放して該羽根を露呈させるもので、この結果詰まりの発生し易い投出羽根部での詰まり取除き作業が極めて容易に行えて、２番還元作業の安定維持を図ることができる。」（第３ページ第４〜９行）
　
（１−４）「（４）はフィードチェン（５）を左側に張架し扱胴（６）及び処理胴（７）を内蔵している脱穀部、」（第３ページ第１６〜１８行）
　
（１−５）「第４図乃至第６図にも示す如く、図中（19）は機体の前後方向に軸架する軸流型の扱胴（６）を内設させる扱室、（20）は前記扱室（19）に穀稈を挿入する扱口、（21）は前記扱室（19）下方に張架させるクリンプ網、（22）は前記扱室（19）に開口（23）を介し連通して処理胴（７）の下方にクリンプ網（24）を張架させる処理胴室、（25）は揺動リンク等を介して前後方向に揺動自在に支持する揺動選別盤であり、」（第４ページ第８〜１６行）
　
（１−６）「第１図及び第５図乃至第７図に示す如く、前記脱穀部（４）の上側壁カバー（45）を上方に開放自在に設けると共に、前記フィードチェン（５）を脱穀部（４）左側方に開放自在に設けるもので、前記カバー（45）にフレーム（46）を介して挾扼杆（47）を連結支持させ、前記カバー（45）の右側基端を脱穀本体側の固定ブラケット（48）に支点軸（49）を介して開閉自在に支持させている。
  また、前記フィードチェン（５）は駆動スプロケット（50）を下部チェンレール（51）前端に備えると共に、下部及び上部チェンレール（50）（52）の後端に固設する上部枢着板（53）に従動スプロケット（54）を備え、前記枢着板（53）と該枢着板（53）の下方に支柱（53a）を介して連結固定する下部枢着板（55）とに、上下の水平回転支点軸（56）（57）をそれぞれ固設し、脱穀本体側の固定ブラケット（58）（59）に前記支点軸（56）（57）を回動自在に支持させて、チェンレール（50）（52）前端側に設けるロック部材（60）のロックを解除するとき、該レール（50）（52）に固設する左側脱穀側部カバー（61）と一体にフィードチェン（５）を左側方に開放させて扱胴（５）の左側部を開口状態とさせるように構成している。」（第６ページ第３行〜第７ページ第５行）
　
（１−７）「本実施例は上記の如く構成するものにして、前記扱胴（６）や揺動選別盤（25）などの掃除や保守点検を行う必要のあるとき、前記上側壁カバー（45）や側部カバー（61）を開放することにより容易にこれら作業が行えるもので、」（第９ページ第９〜１３行）
　
（１−８）脱穀部の正面説明図である第５図には、挾扼杆（47）がフィードチェン（５）の上側に対設されることが示されている。
　
　上記記載事項（１−１）ないし（１−８）によると、引用例には、
「機体の前後方向に軸架する軸流型の扱胴（６）を内設させる扱室（19）と、前記扱室（19）に穀稈を挿入する扱口（20）と、前記扱胴（６）を内蔵する脱穀部（４）の左側方に設けられたフィードチェン（５）と、上方に開放自在に設けられた前記脱穀部（４）の上側壁カバー（45）と、前記フィードチェン（５）の上側に対設され、前記上側壁カバー（45）に連結支持される挾扼杆（47）とを備え、
前記フィードチェン（５）の後端側に設けられた水平回転支点軸（56）（57）を脱穀本体側の固定ブラケット（58）（59）に回動自在に支持させて前記フィードチェン（５）を左側方に開放させるように構成した脱穀装置。」
の発明（以下、「引用発明」という。）が記載されていると認められる。
　
３．対比
　本願発明と引用発明とを対比すると、引用発明における「扱胴（６）」、「扱室（19）」、「扱口（20）」、「フィードチェン（５）」、「上側壁カバー（45）」、「挾扼杆（47）」、「水平回転支点軸（56）（57）」、「左側方」、「脱穀装置」が、
本願発明における「扱胴」、「扱室」、「扱ぎ口」、「フィードチェン」、「扱胴カバー」、「挾持レール」、「支軸」、「外側方」、「脱穀機」にそれぞれ対応する。
　引用発明におけるフィードチェン（５）は、扱胴（６）を内蔵する脱穀部（４）の左側方に設けられているので、扱室（19）一側の扱口（20）に沿って設けられているものと認められる。
　また、引用例の図面第５図に示された挾扼杆（47）とフィードチェン（５）との上下方向の位置関係から見て、引用発明は、挾扼杆（47）が上方に移動したとき、フィードチェン（５）を開放できるものと認められる。
　よって、次の一致点において両者の構成は一致し、次の相違点において両者の構成は相違する。
　
＜一致点＞
　扱胴を内装軸架した扱室と、該扱室一側の扱ぎ口に沿って設けたフィードチェンと、該フィードチェンの上側に対設され前記扱室上部の扱胴カバーと共に上下に開閉可能な挾持レールとを備え、前記挾持レールを上方に移動させたとき、前記フィードチェンを支軸周りに外側方に開放できるように構成した脱穀機である点。
　
＜相違点＞
　フィードチェンを外側方に開放できるようにするための支軸の配置に関して、本願発明においては、支軸をフィードチェンの移送始端部側となる扱室よりも前側の位置に配置したのに対し、引用発明においては、支軸をフィードチェンの後端側に設けた点。
　
４．当審の判断
４．１　相違点について
　引用発明は、上記摘記事項（１−１）ないし（１−３）及び（１−７）に記載されているように、扱室・扱胴等の掃除・保守点検を容易にするためにフィードチェンを開放可能としたものであるから、掃除・保守点検といった作業が効率よく行える状態となるようにフィードチェンを開放させることは、当業者であれば当然考慮すべき事項であり、支軸をフィードチェンに対してどの位置に設けるかは、掃除・保守点検が必要となる位置、フィードチェンと他の部材との位置関係、フィードチェンの開放状態位置等を考慮して当業者が適宜設定し得る設計的事項である。
　よって、支軸をフィードチェンの移送始端部側となる扱室よりも前側の位置に配置することは、当業者にとって格別の創意工夫を要することとは認められない。
　
４．２　本願発明の作用効果について
　本願発明の作用効果は、引用発明に基づいて当業者が容易に予測できるものである。
　
５．むすび
　したがって、本願発明は、引用発明に基づいて当業者が容易に発明をすることができたものであり、特許法第２９条第２項の規定により特許を受けることができない。
　よって、結論のとおり審決する。